(57)【要約】      （修正有）【課題】送風、空気循環促進及び空気浄化との三つの機能を統合して兼ね備える多機能扇風機を提供する。【解決手段】多機能扇風機は、互いに対応するフロントカバーとリアカバーを備え、フロントカバーとリアカバーが取り囲むことで形成されたキャビティの中には、ファンブレードアセンブリが設けられ、リアカバーの後方には、ファンヘッドアセンブリが装着される。ファンヘッドアセンブリは、ハウジング１３を備え、ハウジング１３の内部の前端には、モーターが取り付けられ、モーターの出力軸は、ハウジング１３の前面から突出し且つリアカバーを通り抜けて、ファンブレードアセンブリと連接し、ハウジング１３の中には、高電圧発生器１４がさらに設けられ、高電圧発生器１４には、マイクロスイッチ及びマイナスイオンエミッタ１５がそれぞれ接続され、マイナスイオンエミッタ１５の送信端子とマイクロスイッチは、共にハウジング１３の前端面に設けられる。【選択図】図３
0003213962.tif 000002
【実用新案登録請求の範囲】
【請求項１】
互いに対応するフロントカバーとリアカバーを備える多機能扇風機であって、
前記フロントカバーと前記リアカバーが取り囲むことで形成されたキャビティの中には、ファンブレードアセンブリが設けられ、前記リアカバーの後方には、ファンヘッドアセンブリが装着されており、
前記ファンヘッドアセンブリは、ハウジングを備え、前記ハウジングの内部の前端には、モーターが取り付けられ、前記モーターの出力軸は、前記ハウジングの前面から突出し且つ前記リアカバーを通り抜けて、前記ファンブレードアセンブリと連接し、前記ハウジングの中には、高電圧発生器がさらに設けられ、前記高電圧発生器には、マイクロスイッチ及びマイナスイオンエミッタがそれぞれ接続され、前記マイナスイオンエミッタの送信端子と前記マイクロスイッチは、共に前記ハウジングの前端面に設けられることを特徴とする多機能扇風機。
【請求項２】
前記ファンブレードアセンブリは、ファンブレードであることを特徴とする請求項１に記載の多機能扇風機。
【請求項３】
前記リアカバーは、ネットカバーであり、前記ネットカバーには、前記マイクロスイッチに対応する収容空間が設けられ、前記マイクロスイッチの外面は、前記収容空間の中に収納されることを特徴とする請求項２に記載の多機能扇風機。
【請求項４】
前記フロントカバーは、螺旋フロントメッシュであり、且つ円形フレームを含み、前記円形フレームの中央部には、円形カバーが設けられ、前記円形カバーの外縁と前記円形フレームの内側との間には、２つ以上の弧状リブが設けられることを特徴とする請求項３に記載の多機能扇風機。
【請求項５】
前記フロントカバーは、直線状フロントメッシュであり、且つ円形フレームを含み、前記円形フレームの中央部には、円形カバーが設けられ、前記円形カバーの外?と前記円形フレームの内側との間には、２つ以上の直線状リブが設けられることを特徴とする請求項３に記載の多機能扇風機。
【請求項６】
前記ファンブレードアセンブリは、インペラーであることを特徴とする請求項１に記載の多機能扇風機。
【請求項７】
前記フロントカバーは、フロントケースを含み、前記フロントカバーの中には、排風口が設けられ、前記排風口の前方には、フロントパネルが設けられ、前記フロントパネルと前記フロントケースとの間には、排風チャンネルが形成され、前記排風口の後方には、フィルタメッシュが設けられ、前記フィルタメッシュは、ステントを介して前記フロントケースに装着され、前記フィルタメッシュは、前記インペラーの前方に設けられることを特徴とする請求項６に記載の多機能扇風機。
【請求項８】
前記リアカバーは、バックケースを含み、前記バックケースの入風口は、前記バックケースの側面に設けられ、前記バックケースの後端面には、前記マイクロスイッチの外面と当接する凸部が設けられ、前記バックケースの後端面には、前記マイナスイオンエミッタの送信端子の位置と合わせている貫通孔が設けられることを特徴とする請求項７に記載の多機能扇風機。
【請求項９】
前記ハウジングの２つの外側面は、それぞれ前記支柱体と移動可能に連接され、前記支柱体の底部は、前記伸縮チューブの頂点部と互いに固定され、前記伸縮チューブの底部には、台座が設けられることを特徴とする請求項４、８又は請求項８に記載の多機能扇風機。
【考案の詳細な説明】
【技術分野】
【０００１】
本考案は、家電製品に関し、特に一種の多機能扇風機に関するものである。
【背景技術】
【０００２】
扇風機は、人々の日常生活でよく使われる家電製品であり、科学技術の発展につれて、扇風機の種類は益々多くなる。普通の扇風機以外に、空気循環促進ファン、空気浄化ファン等の製品も開発された。しかし、市販されている扇風機の機能は、単一であり、上記のような機能を統合して兼備することができない。故に、ユーザは、送風、空気循環及び空気浄化との機能を同時に実現したい場合には、対応する機能を有する扇風機をそれぞれ買うことが必要となり、ユーザの使用コストを増加させてしまうという欠点がある。
【考案の概要】
【考案が解決しようとする課題】
【０００３】
本考案は、従来の扇風機の問題点を考慮してなされたものであり、送風、空気循環促進及び空気浄化の三つの機能を兼ね備える多機能扇風機を提供することを目的とする。
【課題を解決するための手段】
【０００４】
上記の課題を解決するために、本考案に係る多機能扇風機は、互いに対応するフロントカバーとリアカバーを備え、前記フロントカバーと前記リアカバーが取り囲むことで形成されたキャビティの中には、ファンブレードアセンブリが設けられ、前記リアカバーの後方には、ファンヘッドアセンブリが装着されており、前記ファンヘッドアセンブリは、ハウジングを備え、前記ハウジングの内部の前端には、モーターが取り付けられ、前記モーターの出力軸は、前記ハウジングの前面から突出し且つ前記リアカバーを通り抜けて、前記ファンブレードアセンブリと連接し、前記ハウジングの中には、高電圧発生器がさらに設けられ、前記高電圧発生器には、マイクロスイッチ及びマイナスイオンエミッタがそれぞれ接続され、前記マイナスイオンエミッタの送信端子と前記マイクロスイッチは、共に前記ハウジングの前端面に設けられる。
【０００５】
さらに、前記ファンブレードアセンブリは、ファンブレードである。
【０００６】
さらに、前記リアカバーは、ネットカバーであり、前記ネットカバーには、前記マイクロスイッチに対応する収容空間が設けられ、前記マイクロスイッチの外面は、前記収容空間の中に収納される。
【０００７】
改善例として、前記フロントカバーは、螺旋フロントメッシュであり、且つ円形フレームを含み、前記円形フレームの中央部には、円形カバーが設けられ、前記円形カバーの外縁と前記円形フレームの内側との間には、２つ以上の弧状リブが設けられる。
【０００８】
他の改善例として、前記フロントカバーは、直線状フロントメッシュであり、且つ円形フレームを含み、前記円形フレームの中央部には、円形カバーが設けられ、前記円形カバーの外?と前記円形フレームの内側との間には、２つ以上の直線状リブが設けられる。
【０００９】
また、他の改善例として、前記ファンブレードアセンブリは、インペラーである。
【００１０】
さらに、前記フロントカバーは、フロントケースを含み、前記フロントカバーの中には、排風口が設けられ、前記排風口の前方には、フロントパネルが設けられ、前記フロントパネルと前記フロントケースとの間には、排風チャンネルが形成され、前記排風口の後方には、フィルタメッシュが設けられ、前記フィルタメッシュは、ステントを介して前記フロントケースに装着され、前記フィルタメッシュは、前記インペラーの前方に設けられる。
【００１１】
さらに、前記リアカバーは、バックケースを含み、前記バックケースの入風口は、前記バックケースの側面に設けられ、前記バックケースの後端面には、前記マイクロスイッチの外面と当接する凸部が設けられ、前記バックケースの後端面には、前記マイナスイオンエミッタの送信端子の位置と合わせている貫通孔が設けられる。
【００１２】
さらに、前記ハウジングの２つの外側面は、それぞれ前記支柱体と移動可能に連接され、前記支柱体の底部は、前記伸縮チューブの頂点部と互いに固定され、前記伸縮チューブの底部には、台座が設けられる。
【考案の効果】
【００１３】
本考案は、送風、空気循環及び空気浄化の三つの機能を兼ね備える多機能扇風機を提供することができる。ユーザは、本考案の多機能扇風機を使用する場合には、必要に応じて、上記の機能の間で切り替えて、必要な機能を選択すればよく、使用コストを大幅に低減することができる。
【図面の簡単な説明】
【００１４】
【図１】本考案の第一実施形態に係る多機能扇風機のフロントカバーとリアカバーとの組立関係を示す図である。
【図２】図１に示すフロントカバーとリアカバーとの断面構造を示す図である。
【図３】本考案に係る多機能扇風機のファンヘッドアセンブリの断面構造を示す図である。
【図４】本考案に係る多機能扇風機のファンヘッドアセンブリの別の視点での断面構造を示す図である。
【図５】本考案の第二実施形態に係る多機能扇風機のフロントカバーとリアカバーとの組立関係を示す図である。
【図６】本考案の第三実施形態に係る多機能扇風機のフロントカバーとリアカバーとの組立関係を示す図である。
【図７】本考案の第三実施形態に係る多機能扇風機のフロントカバーとリアカバーとのの断面構造を示す図である。
【考案を実施するための形態】
【００１５】
以下、具体的な実施例及び図面を参照しながら、本考案の構成及び利点などを詳細に説明する。ただし、ここで記述する具体的な実施例は、本考案を解釈するためのものであり、本考案を制限するものではない。
【００１６】
図１〜図４に示すように、本考案の第一実施形態に係る多機能扇風機は、互いに対応するフロントカバーとリアカバーを備える。前記フロントカバーと前記リアカバーが取り囲むことで形成されたキャビティの中には、ファンブレードアセンブリが設けられている。前記リアカバーの後方には、ファンヘッドアセンブリが装着されている。
【００１７】
前記ファンヘッドアセンブリは、ハウジング１３を含む。ハウジング１３の内部における前端には、モーターが取り付けられている。前記モーターの出力軸は、ハウジング１３の前面から突出し且つ前記リアカバーを通り抜けて、前記ファンブレードアセンブリと連接する。また、ハウジング１３の中には、高電圧発生器１４がさらに設けられる。高電圧発生器１４には、マイクロスイッチ及びマイナスイオンエミッタ１５がそれぞれ接続されている。マイナスイオンエミッタ１５の送信端子と前記マイクロスイッチは、共にハウジング１３の前方の端面に設けられる。
【００１８】
さらに、前記ファンブレードアセンブリは、ファンブレード２である。前記リアカバーは、ネットカバー１である。ネットカバー１には、前記マイクロスイッチに対応する収容空間が設けられる。前記マイクロスイッチの外面は、前記収容空間の中に収納される。これにより、ネットカバー１は、ハウジング１３の前端面における前記マイクロスイッチを触れて起動することがない。前記マイクロスイッチが高電圧発生器１４に作動信号を提供しないと、高電圧発生器１４に接続されたマイナスイオンエミッタ１５は、作業しない。
【００１９】
前記フロントカバーは、螺旋フロントメッシュ３であり、且つ円形フレームを含む。前記円形フレームの中央部には、円形カバー４が設けられる。円形カバー４の外縁と前記円形フレームの内側との間には、２つ以上の弧状リブが設けられる。螺旋フロントメッシュ３は、回転方向の違いによって、集中的に又は発散した風を発生して、空気循環促進ファンとしての機能を実現する。
【００２０】
さらに、前記ハウジング１３の２つの外側面は、それぞれ支柱体１６と移動可能に連接される。支柱体１６の底部は、伸縮チューブ１７の頂点部と互いに固定される。伸縮チューブ１７の底部には、台座が設けられる。
【００２１】
図５に示すように、本考案の第二実施形態に係る多機能扇風機は、互いに対応するフロントカバーとリアカバーを備える。前記フロントカバーと前記リアカバーが取り囲むことで形成されたキャビティの中には、ファンブレードアセンブリが設けられている。前記リアカバーの後方には、ファンヘッドアセンブリが装着されている。
【００２２】
前記ファンヘッドアセンブリは、ハウジング１３を備える。ハウジング１３の内部の前端には、モーター１９が取り付けられている。前記モーター１９の出力軸は、ハウジング１３の前面から突出し且つ前記リアカバーを通り抜けて、前記ファンブレードアセンブリと連接する。また、ハウジング１３の中には、高電圧発生器１４がさらに設けられる。高電圧発生器１４には、マイクロスイッチ及びマイナスイオンエミッタ１５がそれぞれ接続されている。マイナスイオンエミッタ１５の送信端子と前記マイクロスイッチは、共にハウジング１３の前端面に設けられる。
【００２３】
前記ファンブレードアセンブリは、ファンブレード２である。前記リアカバーは、ネットカバー１である。ネットカバー１には、前記マイクロスイッチに対応する収容空間が設けられる。前記マイクロスイッチの外面は、前記収容空間の中に収納される。前記フロントカバーは、直線状フロントメッシュ５であり、円形フレームを含む。前記円形フレームの中央部には、円形カバー４が設けられる。円形カバー４の外?と前記円形フレームの内側との間には、２つ以上の直線状リブが設けられる。
【００２４】
つまり、第二実施形態において、第一実施形態に記載した多機能扇風機の螺旋フロントメッシュ３を取り外して、直線状フロントメッシュ５を使用する。取り付ける場合、直線状フロントメッシュ５とネットカバー１との位置を合わせた後、直線状フロントメッシュ５を時計回りに回転して、直線状フロントメッシュ５のバックルをしっかりと締めて、直線状フロントメッシュ５の装着を完成して、普通の送風機能を実現する。
【００２５】
図６及び図７に示すように、本考案の第三実施形態に係る多機能扇風機は、互いに対応するフロントカバーとリアカバーを備える。前記フロントカバーと前記リアカバーが取り囲むことで形成されたキャビティの中には、ファンブレードアセンブリが設けられている。前記リアカバーの後方には、ファンヘッドアセンブリが装着されている。
【００２６】
前記ファンヘッドアセンブリは、ハウジング１３を備える。ハウジング１３の内部の前端には、モーター１９が取り付けられている。前記モーター１９の出力軸は、ハウジング１３の前面から突出し且つ前記リアカバーを通り抜けて、前記ファンブレードアセンブリと連接する。また、ハウジング１３の中には、高電圧発生器１４がさらに設けられる。高電圧発生器１４には、マイクロスイッチ及びマイナスイオンエミッタ１５がそれぞれ接続されている。マイナスイオンエミッタ１５の送信端子と前記マイクロスイッチは、共にハウジング１３の前端面に設けられる。
【００２７】
前記ファンブレードアセンブリは、インペラー７である。前記フロントカバーは、フロントケース１１を含む。フロントカバー１１の中には、排風口が設けられる。前記排風口の前方には、フロントパネル１２が設けられる。フロントパネル１２とフロントケース１１との間には、排風チャンネルが形成される。前記排風口の後方には、フィルタメッシュ１０が設けられる。フィルタメッシュ１０は、ステント９を介してフロントケース１１に装着される。フィルタメッシュ１０は、インペラー７の前方に設けられる。前記リアカバーは、バックケース６を含む。バックケース６の入風口は、バックケース６の側面に設けられる。バックケース６の後端面には、前記マイクロスイッチの外面と当接する凸部１９が設けられる。また、バックケース６の後端面には、マイナスイオンエミッタ１５の送信端子の位置と合わせている貫通孔１８が設けられる。
【００２８】
インペラー７が回転する時に、外部の気流は、バックケース６の側面に設けられた入風口から扇風機の中に入り、前記マイクロスイッチが起動されるため、高電圧発生器１４は、マイナスイオンエミッタ１５に作動信号を提供して、マイナスイオンエミッタ１５を駆動して動作させる。故に、マイナスイオンエミッタ１５は、マイナスイオンを生成し且つそれを扇風機の中に移送する。すると、扇風機内のマイナスイオンは、空気中の煙塵と中和して、扇風機の中の空気を浄化する。浄化後の空気は、インペラー７により、インペラー７の前端から放出される。放出された空気は、フィルタメッシュ１０により濾過されて、フロントパネル１２とフロントケース１１との間の排風チャンネルを介して扇風機の外へ排出されて、室内の空気を浄化する効果を奏する。
【００２９】
以下、本考案の第三実施形態に係る多機能扇風機の取付方法について説明する。先ず、バックケース６をモーター１９の固定軸を取り囲むように設けて、バンドルでバックケース６を固定する。次に、インペラー７を装着して、固定スリーブでインペラー７を固定して、ギャップ８をロックして、フィルタメッシュ１０が収容されたホルダー９を装着する。最後に、フロントケース１１及びフロントパネル１２にてホルダー９を覆うように設け、且つフロントケース１１とバックケース６とを一体に係合して固定する。これにより、空気浄化ファンを構成する。
【００３０】
上述したように、本考案は、送風、空気循環及び空気浄化との三つの機能を兼ね備える多機能扇風機を提供する。ユーザは、必要に応じて、部分的な部品を簡単に取り換えれば、ファンの機能を切り換えることができ、別途に三つの異なる機能の扇風機を買う必要がなく、使用コストを大幅に低減することができる。
【００３１】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００３２】
１    ネットカバー
２    ファンブレード
３    螺旋フロントメッシュ
４    円形カバー
５    直線状フロントメッシュ
６    バックケース
７    インペラー
８    ギャップ
９    ステント
１０  フィルタメッシュ
１１  フロントケース
１２  フロントパネル
１３  ハウジング
１４  高電圧発生器
１５  マイナスイオンエミッタ
１６  支柱体
１７  伸縮チューブ
１８  貫通孔
１９  モーター
【図１】
0003213962.tif 000003
【図２】
0003213962.tif 000004
【図３】
0003213962.tif 000005
【図４】
0003213962.tif 000006
【図５】
0003213962.tif 000007
【図６】
0003213962.tif 000008
【図７】
0003213962.tif 000009
【手続補正書】
【提出日】平成29年10月12日(2017.10.12)
【手続補正１】
【補正対象書類名】実用新案登録請求の範囲
【補正対象項目名】全文
【補正方法】変更
【補正の内容】
【実用新案登録請求の範囲】
【請求項１】
互いに対応するフロントカバーとリアカバーを備える多機能扇風機であって、
前記フロントカバーと前記リアカバーが取り囲むことで形成された  キャビティの中には、ファンブレードアセンブリが設けられ、前記リアカバーの後方には、ファンヘッドアセンブリが装着されており、
前記ファンヘッドアセンブリは、ハウジングを備え、前記ハウジングの内部の前端には、  モーターが取り付けられ、前記モーターの出力軸は、前記ハウジングの前面から突出し且つ前記リアカバーを通り抜けて、前記ファンブレードアセンブリと連接し、前記ハウジングの中には、高電圧発生器がさらに設けられ、前記高電圧発生器には、マイクロスイッチ及びマイナスイオンエミッタがそれぞれ接続され、前記マイナスイオンエミッタの送信端子と前記マイクロスイッチは、共に前記ハウジングの前端面に設けられることを特徴とする多機能扇風機。
【請求項２】
前記ファンブレードアセンブリは、ファンブレードであることを特徴とする請求項１に記載の多機能扇風機。
【請求項３】
前記リアカバーは、  ネットカバーであり、前記ネットカバーには、前記マイクロスイッチに対応する収容空間が設けられ、前記マイクロスイッチの外面は、前記収容空間の中に収納されることを特徴とする請求項２に記載の多機能扇風機。
【請求項４】
前記フロントカバーは、螺旋フロントメッシュであり、且つ円形フレームを含み、前記円形フレームの中央部には、円形カバーが設けられ、前記円形カバーの外縁と前記円形フレームの内側との間には、２つ以上の弧状リブが設けられることを特徴とする請求項３に記載の多機能扇風機。
【請求項５】
前記フロントカバーは、直線状フロントメッシュであり、且つ円形フレームを含み、前記円形フレームの中央部には、円形カバーが設けられ、前記円形カバーの外縁と前記円形フレームの内側との間には、２つ以上の直線状リブが設けられることを特徴とする請求項３に記載の多機能扇風機。
【請求項６】
前記ファンブレードアセンブリは、インペラーであることを特徴とする請求項１に記載の多機能扇風機。
【請求項７】
前記フロントカバーは、フロントケースを含み、前記フロントカバーの中には、排風口が設けられ、前記排風口の前方には、フロントパネルが設けられ、前記フロントパネルと前記フロントケースとの間には、排風チャンネルが形成され、前記排風口の後方には、フィルタメッシュが設けられ、前記フィルタメッシュは、ステントを介して前記フロントケースに装着され、前記フィルタメッシュは、前記インペラーの前方に設けられることを特徴とする請求項６に記載の多機能扇風機。
【請求項８】
前記リアカバーは、バックケースを含み、前記バックケースの入風口は、前記バックケースの側面に設けられ、前記バックケースの後端面には、前記マイクロスイッチの外面と当接する凸部が設けられ、前記バックケースの後端面には、前記マイナスイオンエミッタの  送信端子の位置と合わせている貫通孔が設けられることを特徴とする請求項７に記載の多機能扇風機。
【請求項９】
前記ハウジングの２つの外側面は、それぞれ支柱体と移動可能に連接され、前記支柱体の底部は、伸縮チューブの頂点部と互いに固定され、前記伸縮チューブの底部には、台座が設けられることを特徴とする請求項４、５、又は請求項８に記載の多機能扇風機。